(57)【要約】　【課題】釘調整など遊技機のガラス扉を開放して行う調整作業を進めるに際し、調整の必要な遊技機を捜し出しそのガラス扉を開くまでの前工程における人的作業量を軽減することのできる遊技機集中管理装置を提供する。【解決手段】管理装置本体部３０の利益率集計手段３２は、各パチンコ機２０から送られてくる入玉、出玉を示すデータを基にして差玉数をそれぞれのパチンコ機２０について求め、抽出手段３６は、差玉数が所定の許容範囲にないパチンコ機２０をガラス扉を開いて釘調整すべき遊技機として抽出する。開放指示送出手段３８は、抽出された各パチンコ機２０に対しガラス扉の開放指示を送出し、これを受けたパチンコ機２０は、ソレノイド等を利用した開放手段５２により施錠を解除してガラス扉２２を開放する。管理装置本体部３０は、予め登録された時刻が到来したとき自動的に、釘調整すべき遊技機２０の抽出処理を開始する。【選択図】図１
2004105760.tif 000002
【特許請求の範囲】
【請求項１】
　ガラス扉を開いて遊技盤面の状態を調整する複数の遊技機を管理対象とし、これらから送られてくるデータを基にして各遊技機における利益の発生状態を管理する遊技機集中管理装置において、
　各遊技機から送られてくるデータを基にしてそれぞれの遊技機における利益の大きさを求める利益率集計手段と、ガラス扉を開いて遊技盤面の状態を調整すべき遊技機を前記利益率集計手段の求めた利益の大きさに基づいて抽出する抽出手段と、前記抽出手段によって抽出された各遊技機にガラス扉を開放する旨の開放指示を送出する開放指示送出手段とを備えた管理装置本体部と、
　各遊技機ごとに設けられ、前記管理装置本体部から前記開放指示を受けたとき、対応する遊技機のガラス扉を開放する開放手段と、を具備し、
　前記管理装置本体部は、予め登録された時刻が到来したとき自動的に、前記遊技盤面の状態を調整すべき遊技機の抽出処理を開始することを特徴とする遊技機集中管理装置。
【請求項２】
　前記利益率集計手段は遊技機ごとの利益の大きさを複数日分記憶するための記憶手段を備え、前記抽出手段は遊技盤面の状態を調整すべき遊技機を前記記憶手段に記憶されている複数日分の利益の大きさに基づいて抽出することを特徴とする請求項１記載の遊技機集中管理装置。
【請求項３】
　前記遊技機は入玉の個数と出玉の個数を表したデータを送出するパチンコ機であり、前記利益率集計手段は入玉の個数と出玉の個数の差である差玉の個数を前記利益の大きさとして求め、前記抽出手段は差玉の個数が予め定めた許容範囲にない遊技機を遊技盤面の状態を調整すべき遊技機として抽出することを特徴とする請求項１または２記載の遊技機集中管理装置。
【請求項４】
　遊技盤面の状態を調整すべき旨を表示するための表示ランプと、前記管理装置本体部から前記開放指示を受けた際に前記表示ランプを点灯させる点灯手段と、ガラス扉の開閉を検知する検知手段と、前記開放手段がガラス扉を開放した後前記検知手段によって該ガラス扉の閉じたことが検知されたとき前記表示ランプを消灯する消灯手段とを、各遊技機ごとに設けたことを特徴とする請求項１、２または３記載の遊技機集中管理装置。
【発明の詳細な説明】
【技術分野】
【０００１】
　本発明は、ガラス扉を開いて遊技盤面の状態を調整する複数の遊技機を管理対象とし、これらから送られてくるデータを基にして各遊技機における利益の発生状態を管理する遊技機集中管理装置に関する。
【背景技術】
【０００２】
　従来の遊技機集中管理装置としては、遊技場に配置された複数のパチンコ機から送られてくる入玉と出玉の個数を表したデータを基にして、営業終了時に各遊技機ごとの差玉数を求め、それらを帳票として印刷出力するものがある。
【０００３】
　遊技場の管理者は、帳票に記録された差玉の値を参考にして釘調整すべきパチンコ機を選び出し、その後、該当するパチンコ機の設置個所を遊技場内で探し、さらに鍵を空けてそのパチンコ機のガラス扉を開放した後、釘調整を行っていた。
【０００４】
　また、特公平６−３０６７６号公報には、印刷出力された帳票から釘調整すべきパチンコ機を選び出す作業の軽減を図った遊技機集中管理装置が開示されている。この装置では、差玉数が所定の許容範囲にないパチンコ機を遊技機集中管理装置自身で選び出し、それらのパチンコ機についてのみ差玉等の記録された帳票を印刷出力するようになっている。
【０００５】
【特許文献１】特公平６−３０６７６号公報
【発明の開示】
【発明が解決しようとする課題】
【０００６】
　しかしながら、このような従来の技術では、釘調整すべきパチンコ機を指し示す情報を帳票に印刷出力するだけなので、調整を行う担当者は、遊技場内を歩き回り、パチンコ機前面上部等に表示された識別番号と帳票に印刷された番号とを照らし合わせるなどして釘調整すべきパチンコ機の設置場所を捜し出さなければならなかった。
【０００７】
　さらに、捜し出したパチンコ機のガラス扉をその鍵を外して開放するという作業を要し、釘調整を実際に行うまでに多くの労力を要し、また作業時間がかかるという問題があった。
【０００８】
　本発明は、このような従来の技術が有する問題点に着目してなされたもので、釘調整など遊技機のガラス扉を開放して行う調整作業を進めるに際し、調整の必要な遊技機を捜し出しそのガラス扉を開くまでの工程における人的作業量を軽減し、調整作業の迅速化を図ることのできる遊技機集中管理装置を提供することを目的としている。
【課題を解決するための手段】
【０００９】
　かかる目的を達成するための本発明の要旨とするところは、次の各項の発明に存する。　［１］ガラス扉（２２）を開いて遊技盤面の状態を調整する複数の遊技機（２０）を管理対象とし、これらから送られてくるデータを基にして各遊技機（２０）における利益の発生状態を管理する遊技機集中管理装置（１０）において、
　各遊技機（２０）から送られてくるデータを基にしてそれぞれの遊技機（２０）における利益の大きさを求める利益率集計手段（３２）と、ガラス扉（２２）を開いて遊技盤面の状態を調整すべき遊技機（２０）を前記利益率集計手段（３２）の求めた利益の大きさに基づいて抽出する抽出手段（３６）と、前記抽出手段（３６）によって抽出された各遊技機（２０）にガラス扉（２２）を開放する旨の開放指示を送出する開放指示送出手段（３８）とを備えた管理装置本体部（３０）と、
　各遊技機（２０）ごとに設けられ、前記管理装置本体部（３０）から前記開放指示を受けたとき、対応する遊技機（２０）のガラス扉（２２）を開放する開放手段（５２、６４）と、を具備し、
　前記管理装置本体部（３０）は、予め登録された時刻が到来したとき自動的に、前記遊技盤面の状態を調整すべき遊技機（２０）の抽出処理を開始することを特徴とする遊技機集中管理装置（１０）。
【００１０】
　［２］前記利益率集計手段（３２）は遊技機（２０）ごとの利益の大きさを複数日分記憶するための記憶手段（３４）を備え、前記抽出手段（３６）は遊技盤面の状態を調整すべき遊技機（２０）を前記記憶手段（３４）に記憶されている複数日分の利益の大きさに基づいて抽出することを特徴とする［１］記載の遊技機集中管理装置（１０）。
【００１１】
　［３］前記遊技機（２０）は入玉の個数と出玉の個数を表したデータを送出するパチンコ機であり、前記利益率集計手段（３２）は入玉の個数と出玉の個数の差である差玉の個数を前記利益の大きさとして求め、前記抽出手段（３６）は差玉の個数が予め定めた許容範囲にない遊技機（２０）を遊技盤面の状態を調整すべき遊技機（２０）として抽出することを特徴とする［１］または［２］記載の遊技機集中管理装置（１０）。
【００１２】
　［４］遊技盤面の状態を調整すべき旨を表示するための表示ランプ（５４）と、前記管理装置本体部（３０）から前記開放指示を受けた際に前記表示ランプ（５４）を点灯させる点灯手段（６２）と、ガラス扉（２２）の開閉を検知する検知手段（５０）と、前記開放手段（５２、６４）がガラス扉（２２）を開放した後前記検知手段（５０）によって該ガラス扉（２２）の閉じたことが検知されたとき前記表示ランプ（５４）を消灯する消灯手段（６２）とを、各遊技機（２０）ごとに設けたことを特徴とする［１］、［２］または［３］記載の遊技機集中管理装置（１０）。
【００１３】
　前記本発明は次のように作用する。　
　管理装置本体部（３０）の有する利益率集計手段（３２）は、各遊技機（２０）から送られてくるデータを基にしてそれぞれの遊技機（２０）における利益の大きさを求める。抽出手段（３６）は、ガラス扉（２２）を開いて遊技盤面の状態を調整すべき遊技機（２０）を利益率集計手段（３２）の求めた利益の大きさに基づいて抽出する。
【００１４】
　たとえば、入玉の個数と出玉の個数を表したデータを送出するパチンコ機を管理対象とし、パチンコ機から送られてくる入玉の個数と出玉の個数の差としての差玉数を利益率集計手段（３２）によって求め、差玉の個数が予め定めた許容範囲にないものを釘調整等の調整を要する遊技機（２０）として抽出する。すなわち、利益率が高く遊技客の損失が大き過ぎるものと、利益率が限度を越えて低いものの双方を調整対象の遊技機（２０）として選び出す。
【００１５】
　開放指示送出手段（３８）は、抽出手段（３６）によって抽出された各遊技機（２０）に対しそのガラス扉（２２）を開放する旨の開放指示を送出する。管理対象の遊技機（２０）にそれぞれ設けられている開放手段（５２、６４）は、管理装置本体部（３０）からの開放指示を受けたとき、対応するガラス扉（２２）をその鍵を空けて開放する。
【００１６】
　このように、調整すべき遊技機（２０）を遊技機集中管理装置（１０）が自ら抽出し、さらに抽出した遊技機（２０）のガラス扉（２２）を自動的に開放するので、調整に入るまでの前作業での人的作業が軽減され、調整作業を迅速に行うことができる。さらに、調整の必要な遊技機（２０）はそのガラス扉（２２）が開放されているので、担当者は調整すべき遊技機（２０）の設置個所を遊技場内において容易に見つけ出すことができ、調整作業をより迅速に進めることができる。
【００１７】
　しかも、管理装置本体部（３０）は、予め登録された時刻が到来したとき自動的に、遊技盤面の状態を調整すべき遊技機（２０）の抽出処理を開始する。営業終了時刻を予め管理装置本体部（３０）に登録しておけば、遊技場の営業が終了したとき自動的に抽出処理を開始し、営業時間内に収集したデータを基にして該当する遊技機（２０）へガラス扉（２２）の開放指示を送出する。これにより、調整を要する遊技機（２０）のガラス扉（２２）が営業終了後、自動的に開放され、閉店後の業務をより円滑に進めることができる。
【００１８】
　さらに、利益率集計手段（３２）に記憶手段（３４）を設け、これに遊技機（２０）ごとの利益の大きさを複数日分記憶する。抽出手段（３６）は、調整すべき遊技機（２０）を利益率集計手段（３２）の有する記憶手段（３４）が記憶している複数日分の利益の大きさに基づいて、たとえば複数日分の利益の合計に基づいて抽出する。
【００１９】
　このように複数日の利益の大きさを基準にして調整すべき遊技機（２０）を抽出するので、１日単位での利益の大きさにある程度の変動があっても調整の必要な遊技機（２０）を的確に選び出すことができる。
【００２０】
　また、各遊技機（２０）ごとに表示ランプ（５４）を設けておき、管理装置本体部（３０）から開放指示を受けた際に点灯手段（６２）によって表示ランプ（５４）を点灯、あるいは点滅させる。これにより、調整すべき遊技機（２０）を遊技場内でより一層容易かつ迅速に見つけ出すことができる。
【００２１】
　さらに、ガラス扉（２２）の開閉を検知する検知手段（５０）を設けておき、釘調整などが終了してガラス扉（２２）の閉じられたことを検知したとき表示ランプ（５４）を消灯する。これにより、未だ調整の終了していない遊技機（２０）の表示ランプ（５４）だけが点灯することとなり、担当者は次に調整すべき遊技機（２０）を迅速かつ容易に見つけることができる。またすでに調整の済んだ遊技機（２０）を再度調整してしまうようなことを防止することができる。
【発明の効果】
【００２２】
　本発明にかかる遊技機集中管理装置によれば、調整すべき遊技機を遊技機集中管理装置自らが抽出し、それら遊技機のガラス扉を自動的に開放するようにしたので、実際の調整作業に入る前に行うべき人的作業が軽減され、迅速に調整作業を進めることができる。また、調整の必要な遊技機はそのガラス扉が開放され、さらに表示ランプが点灯するので、調整担当者は調整すべき遊技機を遊技場内で容易に見つけ出すことができる。
【００２３】
　しかも、管理装置本体部は、予め登録された時刻が到来したとき自動的に、遊技盤面の状態を調整すべき遊技機の抽出処理を開始するので、業務をより円滑に進めることができるとともに、釘調整作業を怠ることが防止できる。
【００２４】
　また、複数日分の利益の大きさを基準にして調整すべき遊技機を抽出するものでは、１日単位での利益の大きさにある程度の変動があっても調整の必要な遊技機を的確に選び出すことができる。
【００２５】
　さらに、釘調整などの調整作業が終了してガラス扉の閉じられたとき、表示ランプを自動的に消灯するようにしたものでは、未だ調整作業を終えていない遊技機を表示ランプの点滅の有無によって速やかに見分けることができるとともに、調整済みの遊技機を再び調整してしまうような事態を防ぐことができる。
【発明を実施するための最良の形態】
【００２６】
　以下、図面に基づき本発明の一実施の形態を説明する。　
　各図は本発明の一実施の形態を示している。　
　図２に示すように、遊技機集中管理装置１０の管理対象である遊技機はパチンコ機２０である。遊技場内には、複数台のパチンコ機２０を並置した遊技機島２１が複数配設されている。遊技機集中管理装置１０は、遊技場の管理室等に配置される管理装置本体部３０と各パチンコ機２０ごとに設けられる各種遊技機側装置とから構成される。
【００２７】
　図１は、遊技機集中管理装置１０の構成を表している。遊技機集中管理装置１０のうち各パチンコ機２０ごとに設けられる遊技機側装置としては、パチンコ機２０の有するガラス扉２２の開閉を検知する開閉検知センサ５０と、ガラス扉２２を開放するか閉じた状態で施錠するかをソレノイドによって切り替える開放手段５２と、パチンコ機２０上部に設けられた表示ランプ５４とがある。さらに、表示ランプ５４の点滅制御、ガラス扉２２の開放制御等を行う遊技機側制御部６０が各パチンコ機２０の裏面に設けられている。
【００２８】
　パチンコ機２０は、パチンコ球の打ち出される遊技盤面を備え、該遊技盤面はガラス扉２２によって覆われている。ガラス扉２２はその左端部がパチンコ機２０本体に軸支されており、該端部を支点に開閉が可能になっている。開閉検知センサ５０は、ガラス扉２２が閉じているか否かを検知するセンサで、ここではマイクロスイッチ等の機械的スイッチを用いている。このほか、開閉検知センサ５０として光センサ等を用いても良い。
【００２９】
　ガラス扉２２の右端には、パチンコ機２０の本体側へ突出したフックが取り付けられており、ガラス扉２２を閉じた状態で開放手段５２の有するソレノイドの可動軸がフック内に勘入し得るようになっている。
【００３０】
　開放手段５２の有するソレノイドの可動軸は、通電がないとき、閉じた状態のガラス扉２２のフック内にバネの付勢により勘入して鍵のかかった状態を形成する。一方、通電があるときはバネの付勢に抗して可動軸がフックから外れ、これによりガラス扉２２は鍵の外れた開放可能な状態になる。
【００３１】
　なお、ガラス扉２２の鍵の開閉をソレノイドに代えて、モータ等により行うようにしても良い。すなわち、モータの回転動作を往復動に変換してフックにひっかける可動軸を移動させることができる。
【００３２】
　遊技機側制御部６０は、表示ランプ５４の点滅動作を制御する点滅制御部６２と、開放手段５２のソレノイドを駆動し、ガラス扉２２の鍵の開閉を制御する扉開放制御部６４とから成る。また遊技機側制御部６０は、パチンコ機２０の出力する各種のデータを通信ケーブルを通じて管理装置本体部３０へ伝送する機能と、管理装置本体部３０から各種の制御コマンドを受信する機能とを備えている。パチンコ機２０は、入玉のあるごとに発生する入玉信号と出玉のあるごとに発生する出玉信号とを管理装置本体部３０へ送出するようになっている。
【００３３】
　管理装置本体部３０には、このような装置の設けられたパチンコ機２０が通信ケーブルを通じて複数台接続されている。管理装置本体部３０は、各パチンコ機２０から送られてくる入玉信号、出玉信号を基にして、利益の発生状態、すなわち差玉数を求めて記憶する利益率集計手段３２と、利益の発生状況を基に釘調整の必要なパチンコ機２０を抽出する抽出手段３６と、抽出されたパチンコ機２０へガラス扉２２の開放指示を送出する開放指示送出手段３８とを備えている。
【００３４】
　利益率集計手段３２は、遊技場の営業が終了した際に、その日の分の差玉数を各パチンコ機２０ごとに求める差玉計数部３３と、最近の複数日分についての差玉数をパチンコ機２０ごとに記憶する記憶手段３４とを備えている。このほか、管理装置本体部３０は、各種操作を入力するための操作部４０と、遊技場の管理状況に関する各種の情報を表示するための表示手段４２を備えている。表示手段４２として、ここではＣＲＴディスプレイを用いている。
【００３５】
　操作部４０は、アルファベット、数字、ひらがな、および記号等を入力するための標準キーのほか、遊技場の営業を開始する際に押下する営業開始ボタンや営業を終了した際に押下する営業終了ボタンなど各種の特殊キーを備えたキーボードである。
【００３６】
　管理装置本体部３０は、ＣＰＵ（中央処理装置）、ＲＯＭ（リード・オンリ・メモリ）、ＲＡＭ（ランダム・アクセス・メモリ）を主要部とする回路により構成されている。また管理装置本体部３０は、差玉数など各種の管理データを複数日分記憶する記憶手段３４として、停電等が発生してもその記憶内容を保持することのできる不揮発性メモリを用いている。このほか管理装置本体部３０には、各パチンコ機２０とデータやコマンドを送受信するための通信回路部が設けられている。ここではＬＡＮ（ローカル・エリア・ネットワーク）を通じて管理装置本体部３０と各パチンコ機２０との間の通信が行われる。
【００３７】
　各パチンコ機２０側に設けられている遊技機側制御部６０は、ＣＰＵ、ＲＯＭ、ＲＡＭ、および複数の入出力ポート、ならびにＬＡＮに対応した通信制御回路等を備えたワンチップ型のマイクロコンピュータで構成されている。
【００３８】
　次に遊技機集中管理装置１０の動作を説明する。　
　図３は、遊技機集中管理装置１０の管理装置本体部３０が行う動作の流れを示している。操作部４０の営業開始ボタンが押下されて遊技場の営業が開始されると（ステップＳ１０１；Ｙ）、利益率集計手段３２の差玉計数部３３は、各パチンコ機２０から送られてくる入玉信号および出玉信号を基にして入玉数と出玉数をパチンコ機ごとに計数する（ステップＳ１０２）。遊技場内のパチンコ機にはそれぞれ固有の識別番号が割り当てられており、入玉および出玉の数は、パチンコ機の識別番号と対応付けて管理される。
【００３９】
　操作部４０の営業終了ボタンが押下されて営業の終了が設定されると（ステップＳ１０３；Ｙ）、差玉計数部３３は、パチンコ機２０ごとに、営業開始から営業終了までの間に計数した入玉数から同期間に計数した出玉数を差し引いて差玉数を求め、その値をパチンコ機２０に割り当てられている識別番号と対応付けて記憶手段３４に記憶する（ステップＳ１０４）。
【００４０】
　記憶手段３４は、管理対象になっているすべてのパチンコ機２０についてそれぞれ４日分の差玉数を記憶可能であり、その記憶領域は、営業日別に４つの領域に区分けされている。本日分のデータを書き込む領域を順次移動させて４つの記憶領域を巡回的に利用することで、最近４日分のデータを常に記憶手段３４に記憶するようになっている。
【００４１】
　本日分の差玉数を記憶手段３４に記憶した後、抽出手段３６は、管理対象のパチンコ機２０の中で最も識別番号の小さいものから順に１台ずつ、釘調整の必要があるか否かを判別する。
【００４２】
　すなわち、識別番号順に選択した１つのパチンコ機２０について最近４日分の差玉数のデータを記憶手段３４から読み出し、それらの合計を求める（ステップＳ１０５）。そして差玉数の合計が予め定めた許容範囲内に収まっているか否かを判定する（ステップＳ１０６）。
【００４３】
　差玉数が許容範囲を越える大きい値のときは、入玉に対して出玉が少なく遊技者の損失が多すぎることを表し、差玉数が許容範囲以下あるいは負の値のときは球の入賞する確率が高すぎて出玉が多く、遊技店側の利益が限度を越えて少ないことを表している。そこで、差玉数が許容範囲を上回るパチンコ機と下回るパチンコ機の双方を釘調整の必要な台として抽出している。
【００４４】
　差玉数が許容範囲外のとき（ステップＳ１０６；Ｙ）、開放指示送出手段３８から該当するパチンコ機２０に向けてガラス扉２２を開放する旨を表した開放指示信号を送出する（ステップＳ１０７）。このような差玉数の判定処理をすべてのパチンコ機２０について行い（ステップＳ１０８；Ｎ）、全パチンコ機２０について判定処理を終えたとき管理装置本体部３０側の一連の処理を終了する（エンド）。
【００４５】
　このように営業が終了した際、釘調整すべきパチンコ機２０を自動的に抽出してそのガラス扉２２を開くほか、管理装置本体部３０からパチンコ機２０のガラス扉２２を個別あるいは一斉に開く操作を随時行うことが可能になっている。
【００４６】
　操作部４０には、一斉開放ボタンが設けられており、該ボタンが押下されると管理装置本体部３０の開放指示送出手段３８はすべてのパチンコ機２０に向けて開放指示信号を送出する。個別にガラス扉２２を開く場合には、操作部４０のテンキーからガラス扉２２を開くべきパチンコ機の識別番号を指定したのち、予め定めたドアオープンコマンドを入力するようになっている。この際開放指示送出手段３８は指定された識別番号のパチンコ機２０に対してのみ開放指示信号を送出するようになっている。
【００４７】
　図４は、遊技機側制御部６０の行う動作の流れを表している。遊技機側制御部６０は対応するパチンコ機から入力される入玉信号および出玉信号を、ＬＡＮ対応の通信制御回路を介して管理装置本体部３０へ常時伝送する。また営業中などの通常状態においてパチンコ機２０のガラス扉２２は閉じた状態にあり、開放手段５２はそのソレノイドに通電が無く、ガラス扉２２が開かないように施錠状態になっている。
【００４８】
　遊技機側制御部６０は、営業が終了した際、あるいは一斉解放ボタンが押下されるなどにより管理装置本体部３０から開放指示信号を受けると（ステップＳ２０１；Ｙ）、扉開放制御部６４により開放手段５２のソレノイドへの通電を開始して鍵を開け、ガラス扉２２を開放する（ステップＳ２０２）。なお、ガラス扉２２は、鍵が外れた際に僅かに開いた状態になるようバネで付勢されている。
【００４９】
　開放指示送出手段３８から開放指示信号を受けたとき（ステップＳ２０１；Ｙ）、ガラス扉２２を開放するとともに遊技機側制御部６０は点滅制御部６２によって表示ランプ５４の点滅動作を開始する（ステップＳ２０３）。
【００５０】
　このようにガラス扉２２が開放し、さらに表示ランプ５４が点滅するので、調整を行う担当者は、調整すべきパチンコ機２０の設置場所を容易に識別することができる。また人手によってガラス扉２２の鍵を開ける作業が不要となり、実際の釘調整作業を速やかに開始することができる。
【００５１】
　釘調整が終了してガラス扉２２の閉じられたことが開閉検知センサ５０によって検知されると（ステップＳ２０４；Ｙ）、扉開放制御部６４は開放手段５２のソレノイドへの通電を停止し、ガラス扉２２を施錠する（ステップＳ２０５）。さらに表示ランプ５４の点滅動作を終了させ、表示ランプ５４を消灯する（ステップＳ２０６）。
【００５２】
　釘調整を終えてガラス扉２２を閉じたとき自動的に施錠されるので、調整担当者による人的作業がさらに省かれ、調整作業をより効率良く進めることができる。また、調整を終えてガラス扉２２を閉じたとき、表示ランプ５４の点滅動作が停止するので、未調整のパチンコ機２０だけその表示ランプ５４が点滅することになる。したがって、調整担当者は、次に調整すべきパチンコ機２０を表示ランプ５４の点滅の有無によって速やかに見い出すことができ、また調整済みのパチンコ機２０を再び調整してしまうような事態を防ぐことができる。
【００５３】
　以上説明した実施の形態では、パチンコ機を管理対象の遊技機としたが、遊技盤面を覆っているガラス扉を開いて利益率を左右する何らかの調整を行う種類の遊技機であれば良く、管理対象の遊技機はパチンコ機に限定されるものではない。
【００５４】
　また、差玉を基にして利益率の大きさを判定して調整を要する遊技機の抽出を行うようにしたが、始動チャッカーへの入賞回数などを選択基準の１つとして加えるようにしても良い。
【００５５】
　さらに実施の形態では、営業終了ボタンが押下されたことを契機として、調整の必要なパチンコ機２０の抽出処理を開始したが、営業終了時刻や調整を開始すべき時刻を予め管理装置本体部３０に登録しておき、該当する時刻が到来したとき自動的に抽出処理を開始するようにしても良い。
【図面の簡単な説明】
【００５６】
【図１】本発明の一実施の形態に係る遊技機集中管理装置の構成の概要を示す説明図である。
【図２】本発明の一実施の形態に係る遊技機集中管理装置の遊技場における設置状態を示す説明図である。
【図３】本発明の一実施の形態に係る遊技機集中管理装置の管理装置本体部が行う動作の流れを示す流れ図である。
【図４】本発明の一実施の形態に係る遊技機集中管理装置の遊技機側制御部が行う動作の流れを示す流れ図である。
【符号の説明】
【００５７】
　１０…遊技機集中管理装置
　２０…パチンコ機
　２１…遊技機島
　２２…ガラス扉
　３０…管理装置本体部
　３２…利益率集計手段
　３３…差玉計数部
　３４…記憶手段
　３６…抽出手段
　３８…開放指示送出手段
　４０…操作部
　４２…表示手段
　５０…開閉検知センサ
　５２…開放手段
　５４…表示ランプ
　６０…遊技機側制御部
　６２…点滅制御部
　６４…扉開放制御部
【図１】
2004105760.tif 000003
【図２】
2004105760.tif 000004
【図３】
2004105760.tif 000005
【図４】
2004105760.tif 000006